(57)【要約】      （修正有）【課題】足指、足裏形状を治療する治療用インソールを挿入可能な室内用履物を提供する。【解決手段】室内用履物１は、治療用インソールを収納する足裏形状をした収納部３と、収納部３を載置する基体部４とから成り、基体部４は前記収納部３を載置する底部４ｃと、底部４ｃから側方に延在したバンド部４ｄ〜４ｇとを備える。素足で室内用履物１を使用する場合であっても、足は治療用インソールに直接触れることがないので、匂いや汗が治療用インソールに移動することがない。【選択図】図３
2018051301.tif 000002
【特許請求の範囲】
【請求項１】
治療用インソールを収納する収納部と、前記収納部の前方部を載置する底部及び該底部から側方に延在するバンド部を有する基体部とから構成される室内用履物であって、
前記収納部は、面ファスナが係止可能な素材から成る足裏形状とした平面状の袋体であり、
前記収納部の裏面部には、足幅方向に沿う方向に切込みを入れた開口部が設けられており、
前記底部の表面には、固定用面ファスナが取り付けられており、
前記開口部が前記固定用面ファスナに貼り付くことで、前記収納部を密閉状態にすることを特徴とする室内用履物。
【請求項２】
前記収納部は伸縮性、弾力性を有する合成樹脂製から成り、収納する前記治療用インソールよりも小さくしたことを特徴とする請求項１に記載の室内用履物。
【請求項３】
前記基体部は、軟質樹脂から成る主シート材と、該主シート材の裏面に接着した前記面ファスナが係止可能な繊維状の副シート材との二層構造から成ることを特徴とする請求項１又は２に記載の室内用履物。
【請求項４】
一方の前記バンド部の先端側の表面には調整用面ファスナが取り付けられており、該調整用面ファスナは他方の前記バンド部の裏側に係止可能とされていることを特徴とする請求項１〜３の何れか１項に記載の室内用履物。
【請求項５】
前記バンド部は２組設けたことを特徴とする請求項１〜４の何れか１項に記載の室内用履物。
【請求項６】
前記収納部の裏面部の後方である踵側と、前記底部の裏面部の爪先側に滑り止めシート材を設けたことを特徴とする請求項１〜５の何れか１項に記載の室内用履物。
【発明の詳細な説明】
【技術分野】
【０００１】
本発明は、主に室内で使用し、治療用インソールを挿入可能な室内用履物に関するものである。
【背景技術】
【０００２】
外反母趾等の足指の骨格が変形した状態で歩行すると、足に非常な痛みを伴う場合がある。そこで、この足の痛みを和らげたり、足の骨格の変形を治療するために、例えば特許文献１、２に開示された治療用インソールを靴に装着することが知られている。
【０００３】
これらの特許文献１、２に示す治療用インソールは、利用者毎に足の大きさや足指の形状が異なるので、利用者の足裏にフィットする治療用インソールを個々に個別注文によって作成することも多い。
【０００４】
また特許文献３には、インソールを装着可能なスリッパが開示されている。
【先行技術文献】
【特許文献】
【０００５】
【特許文献１】特開２００６−５４９号公報
【特許文献２】特開２０１５−９００５号公報
【特許文献３】特開２０１４−２００５０８号公報
【発明の概要】
【発明が解決しようとする課題】
【０００６】
靴を使用するときは、上述の治療用インソールを利用できるが、室内では靴を脱ぐため、素足では歩行に痛みを伴う。また、家庭内では靴を履かないために治療が進行しないという問題もある。そこで、特許文献３のスリッパのように、上述の個別注文の治療用インソールを中敷として装着して、室内で使用することも考えられる。
【０００７】
しかし、スリッパは素足で利用する人が多く、治療用インソールを取り付けたスリッパを素足で利用すると、足の臭いや汗が治療用インソールに移ってしまうという問題がある。このため、靴下を履いた状態で使用する場合よりも、治療用インソールが早く傷むことになり、場合によっては汗等により治療用インソールに黴が発生することもある。
【０００８】
また、治療用インソールの基材はコルク、合成樹脂等で作られていることが多く、直接皮膚に接触すると皮膚に障害が発生したり、履き心地が悪くなる。従って、治療用インソールは、基材上に、柔軟性を有し刺激が少ない樹脂や布材から成る表面材を貼り付けた二層構造となっている。
【０００９】
このように、二層構造から成る治療用インソールは高額なものとなり、更には個別注文の治療用インソールは特に高額になるため、頻繁に買い換えることが難しいという問題もある。
【００１０】
本発明の目的は、上述の課題を解消し、足指、足裏形状を治療する治療用インソールを家庭内においても簡易に使用可能とし、簡便に治療用インソールを収納することのできる室内用履物を提供することにある。
【課題を解決するための手段】
【００１１】
上記目的を達成するための本発明に係る室内用履物は、治療用インソールを収納する収納部と、前記収納部の前方部を載置する底部及び該底部から側方に延在するバンド部を有する基体部とから構成される室内用履物であって、前記収納部は、面ファスナが係止可能な素材から成る足裏形状とした平面状の袋体であり、前記収納部の裏面部には、足幅方向に沿う方向に切込みを入れた開口部が設けられており、前記底部の表面には、固定用面ファスナが取り付けられており、前記開口部が前記固定用面ファスナに貼り付くことで、前記収納部を密閉状態にすることを特徴とする。
【発明の効果】
【００１２】
本発明に係る室内用履物によれば、治療用インソールを袋体内部に収納可能とすることで、素足で使用しても治療用インソールに直接触れることがないので、治療用インソールを傷めずに長期間、使用することができる。
【００１３】
また、治療用インソールを室内用と靴用とを兼用する際にも、治療用インソールを簡便に室内用履物に収納、取り出しを行うことが可能である。
【図面の簡単な説明】
【００１４】
【図１】実施例１の室内用履物の分解斜視図である。
【図２】袋体、基体の裏面の斜視図である。
【図３】治療用インソールを収納し組立てた状態の斜視図である。
【図４】使用状態の説明図である。
【図５】実施例２の治療用インソールを収納する前の状態の斜視図である。
【図６】治療用インソールを収納した状態の斜視図である。
【図７】実施例３の治療用インソールを収納する前の状態の斜視図である。
【図８】治療用インソールを収納した状態の斜視図である。
【図９】上面部が裏返るように開閉部を開放した状態の平面図である。
【発明を実施するための形態】
【００１５】
本発明を図示の実施例に基づいて詳細に説明する。
【実施例１】
【００１６】
図１は実施例１の室内用履物１の分解斜視図、図２は袋体、基体の裏面の斜視図、図３は組立てた状態の斜視図、図４は使用状態の説明図である。
【００１７】
実施例１の室内用履物１は、治療用インソール２と、治療用インソール２を収納する収納部３と、この収納部３を載置する基体部４とから成っている。この室内用履物１は足のサイズに応じて複数種が用意され、適宜のサイズのものを選択して使用することができる。
【００１８】
外反母趾等の足指の骨格の変形は、患者により形状が異なることから、治療用インソール２は専門家による個別注文により製造される。治療用インソール２は緩衝性の高い材料から成り、利用者の外反母趾等の足指、足裏形状に対して治療効果の高い形状になるように、隆起部や凹部を適宜に配置した立体的な形状とされている。治療用インソール２の材料として、例えばラバー、ポリウレタン、ＥＶＡ、ポリエチレン、軟質塩化ビニル、コルク材等から適宜の材料を用いることができる。
【００１９】
この従来の治療用インソールは、前述したように基材と表面材の二層で構成されているのに対して、本実施例の室内用履物１で使用する治療用インソール２は、収納部３の上面部が表面材の機能を果たすため、表面材を設けずに基材のみの構成でよい。
【００２０】
収納部３は伸縮性、弾力性を有する合成樹脂や合成繊維等の材料から成る足裏形状とした平面状の袋体とされ、この収納部３の外表面は例えば織物地とされ、面ファスナのフック部が係止されるようになっている。
【００２１】
また、収納部３の裏面部３ａには、足幅方向に沿う方向に直線状に切込みを入れた開口部３ｂが設けられている。この開口部３ｂから収納部３内に治療用インソール２が挿入するようにされている。
【００２２】
更に、収納部３の裏面部３ａの後方である踵側には、収納部３を基体部４に装着時に基体部４からはみ出た際に、床面との滑りを防止するための滑り止めシート材３ｃが貼り付けられている。
【００２３】
なお、収納部３の大きさは、収納する治療用インソール２に対して、一回り小さい程度の大きさが好適である。これにより、治療用インソール２は、収納部３が全体に引っ張られた状態で、収納部３内に保持されるため、収納部３内でずれたりすることはない。治療用インソール２が底部体内で多少でもずれると、治療すべき足指、足裏に完全に適合せず、逆に余分な痛みを与えることがある。
【００２４】
基体部４は例えば、厚さ５ｍｍ程度の合成ゴム等の軟質樹脂から成る主シート材４ａを主体として、この主シート材４ａの裏面に、例えば、面ファスナのフック部が係止可能なフェルト繊維状の副シート材４ｂを接着した二層構造となっている。
【００２５】
また、基体部４は収納部３の前方部を載置する底部４ｃと、この底部４ｃから側方に延在する２組のバンド部４ｄ、４ｅ、４ｆ、４ｇとを有している。底部４ｃの表面には、収納部３を貼着するためのフック部を有する固定用面ファスナ４ｈが複数個所に取り付けられている。なお、実施例１では固定用面ファスナ４ｈを複数個配置しているが、複数個を連続した１つの面ファスナを配置するようにしてもよい。
【００２６】
底部４ｃの裏面側である副シート材４ｂの爪先側には、シート材３ｃと同様の床面との滑りを防止するためのシート材４ｉが貼付されている。
【００２７】
足甲締付用の２組のバンド部４ｄ〜４ｇは数ｃｍ程度の２対の帯状体であり、一方のバンド部の４ｄ、４ｆの先端側の表面には調整用面ファスナ４ｊが取り付けられていて、使用時に調整用面ファスナ４ｊは他方のバンド部４ｅ、４ｇの裏側に係止可能とされている。
【００２８】
なお、実施例１では固定用面ファスナ４ｈを複数個配置しているが、複数個を連続した１つの面ファスナを配置するようにしてもよい。
【００２９】
使用に際しては、先ず収納部３に開口部３ｂ長手方向に大きく開口した後、治療用インソール２の踵部から収納部３の踵方向へ向けて挿入する。続いて治療用インソール２の爪先部を収納部３の爪先側で覆うことで、収納部３内に治療用インソール２を収納する。
【００３０】
この場合に、収納部３の開口部３ｂは布地同士が重ね合わせとしておくと、挿入した治療用インソール２が位置ずれが生じ難く、容易に脱落することがなくなる。
【００３１】
続いて、治療用インソール２を収納した収納部３の裏面部３ａを、基体部４の底部４ｃの固定用面ファスナ４ｈに載置する。
【００３２】
この際に、裏面部３ａの開口部３ｂが固定用面ファスナ４ｈに貼り付くことで、収納部３は密閉状態となり、収納部３から治療用インソール２がはみ出すことがなくなる。
【００３３】
そして、治療すべき足を収納部３上に載置し、２組のバンド部４ｄ〜４ｇにより足甲への締め付け具合を調整しながら、調整用面ファスナ４ｊにより係止する。２組のバンド部４ｄ〜４ｇを足の大きさに合わせて調整用面ファスナ４ｊの位置を調整することで、室内用履物１に対して足の位置がずれたりすることがなく、足裏の必要個所に治療用インソール２の凹凸が正確に対応し、治療効果が高まる。
【００３４】
室内用履物１を脱ぐ際は、調整用面ファスナ４ｊをバンド部４ｅ、４ｇの副シート材４ｂから剥がすことで足を開放し、更に収納部３から治療用インソール２を取り出す際は、基体部４から収納部３を剥がして、開口部３ｂから治療用インソール２を取り出すことになる。
【００３５】
このように、治療用インソール２を収納部３内に収納することで、素足で室内用履物１を使用する場合であっても、治療用インソール２に直接触れることがないので、足の匂いや汗が治療用インソール２に移ることがない。このため、治療用インソール２は傷み難くなり、長期に渡って治療用インソール２を使用することができる。
【００３６】
また、治療用インソール２を収納する際は、開口部３ｂを基体部４の固定用面ファスナ４ｈに貼り付けることで、収納部３に密閉状態にすることができる。従って、開口部３ｂに別途ファスナ等の密封手段を設けることなく治療用インソール２を固定できるので、手間を掛けずに簡便に治療用インソール２を収納、取り出しを行うことが可能である。
【００３７】
更には、治療用インソール２を装着する場合と逆の手順で外した後に、収納部３、基体部４を洗濯することもできる。長期間の使用により劣化し破損しても、安価である収納部３或いは基体部４のみを交換すればよいので、経済的である。
【００３８】
また、使用する治療用インソール２は、従来の治療用インソールに比べて表面材が不要となるため、安価に製造することができる。
【実施例２】
【００３９】
図５は実施例２の室内用履物１’に治療用インソール２を収納する前の状態の斜視図、図６は治療用インソール２を収納した状態の斜視図である。
【００４０】
室内用履物１’は、足裏を載置する収納部１１と、この収納部１１の爪先側の左右の辺部に取り付けられた帯状のバンド部１２ａ、１２ｂとから構成されている。一方のバンド部１２ａに調整用面ファスナ１３ａが取り付けられ、他方のバンド部１２ｂに調整用面ファスナ１３ｂが取り付けられている。
【００４１】
収納部１１は伸縮性、弾力性を有する合成樹脂製や合成繊維等から成る平面状の袋状体であり、後端に治療用インソール２を挿入するための開閉部１４を備えている。
【００４２】
開閉部１４には、治療用インソール２を収納部１１内に収納した際に、治療用インソール２がはみ出さないように、開閉部１４を閉じる紐体から成る閉止具が取り付けられている。
【００４３】
この室内用履物１’を使用する際は、先ず、予め用意した治療用インソール２を、収納部１１の開閉部１４を開いた状態で矢印方向に挿入して、収納部１１を拡げながら収納部１１内に収納する。図６に示すように、治療用インソール２を収納部１１内に完全に収納した後に、開閉部１４を閉止具によって閉止する。
【００４４】
そして、足を収納部１１に載置した後に、バンド部１２ａ、１２ｂ同士を調整用面ファスナ１３ａ、１３ｂにより係止する。
【実施例３】
【００４５】
図７は実施例３の室内用履物１”に治療用インソール２を収納する前の状態の斜視図、図８は治療用インソール２を収納した後の斜視図、図９は上面部が裏返るように底部を開いた状態の平面図である。
【００４６】
室内用履物１”は、足を載置する平面状で足裏形状をした収納部１１’と、この収納部１１’の爪先側の上縁部を覆うように取り付けられた帯状の甲被部１５とから構成されている。なお、甲被部１５は爪先まで覆う袋状であってもよく、長さを調整できるようにしてもよい。
【００４７】
袋状体である収納部１１’は同形状の上面部１６と下面部１７とを重ね合わせて成り、収納部１１’の長手方向に沿う片側の側辺１８は縫合されている。
【００４８】
この縫合されている周辺以外の上面部１６と下面部１７の周辺には、収納部１１’を厚み方向に開閉する一対のファスナ１９ａ、１９ｂから成る開閉部２０が設けられている。従って、ファスナ１９ａ、１９ｂのスライダは上面部１６と下面部１７の開閉部２０に沿って摺動する。
【００４９】
図９に示すように、縫合した側辺１８を軸に、上面部１６は裏返るように開放可能とされている。なお、開閉部２０は図９に示すように収納部１１’の略半分の爪先から踵まで開放する形状であっても、図５の室内用履物１’のように、治療用インソール２が挿入できる幅を有する開閉部２０としても支障はない。
【００５０】
そして、開閉部２０をファスナ１９ａ、１９ｂで閉止した状態にすると、上面部１６と下面部１７間で治療用インソール２を挿入する空間が形成されることになる。なお、開閉部２０は図示のようなファスナ１９ａ、１９ｂ以外に、面ファスナやボタン止め等、治療用インソール２を収納部１１’内に収納する適宜の開閉手段を用いても支障はない。
【００５１】
更に、下面部１７の内面には、載置する治療用インソール２との滑りを防止するための滑り止めシート材を配置することもでき、下面部１７の外側底面にも床面との滑りを防止するための滑り止めシート材を配置してもよい。
【００５２】
この室内用履物１”を使用する際は、図９に示すように治療用インソール２を、収納部１１の開閉部２０を開いた状態で矢印方向に挿入して、収納部１１の内部に収納する。治療用インソール２を挿入して収納部１１’内に収納した後に開閉部２０をファスナ１９ａ、１９ｂを用いて閉止する。
【００５３】
なお、治療用インソール２の裏面と室内用履物１”の下面部１７の間に、互いを係止する複数個の面ファスナを取り付けておくことが好ましい。この場合に、図９に示すように開閉部２０を全開にし、上面部１６を裏返して開放した状態で、下面部１７の固定用面ファスナ２１と、予め配置した治療用インソール２の裏面の面ファスナとを一致させるように、位置決めして貼り合わせる。
【００５４】
このように、固定用面ファスナ２１により治療用インソール２を下面部１７に固定することで、治療用インソール２が室内用履物１”内で移動することがなくなる。
【００５５】
治療用インソール２を固定用面ファスナ２１で固定した後に、開閉部２０のファスナ１９ａ、１９ｂを閉止することで、図７に示す治療用インソール２を室内用履物１”内に装着した状態となる。
【符号の説明】
【００５６】
１、１’、１”  室内用履物
２  治療用インソール
３  収納部
３ａ  裏面部
３ｂ  開口部
３ｃ、４ｊ  滑り止めシート材
４  基体部
４ａ  主シート材
４ｂ  副シート材
４ｃ  底部
４ｄ、４ｅ、４ｆ、４ｇ  バンド部
４ｈ  固定用面ファスナ
４ｊ  調整用面ファスナ
【図１】
2018051301.tif 000003
【図２】
2018051301.tif 000004
【図３】
2018051301.tif 000005
【図４】
2018051301.tif 000006
【図５】
2018051301.tif 000007
【図６】
2018051301.tif 000008
【図７】
2018051301.tif 000009
【図８】
2018051301.tif 000010
【図９】
2018051301.tif 000011